(57)【要約】【課題】移動体における地上放送の視聴に関し、デジタル放送とアナログ放送のサイマル放送において双方の特長を生かしたサイマル放送受信装置を提供する。【解決手段】サイマル放送受信装置２０を構成する同期手段（同期用信号抽出部４０、４４、相関器５２、映像音声圧縮部４６、蓄積部４８、及び映像音声解凍部５０）により、デジタル受信信号とアナログ受信信号とを同期させる。これにより、信号切替手段５８によりデジタル放送とアナログ放送を切り替えたときに、情報内容の欠落又は重複が発生しない。また、信号切替手段５８によりいずれの信号を選択するかは、誤り訂正部３４により検出した誤り率に応じて行う。【選択図】図２
2006295662.tif 000002
【特許請求の範囲】
【請求項１】
表示装置に接続して利用されるサイマル放送受信装置において、
デジタル放送を受信するデジタル放送受信手段と、
前記デジタル放送とサイマル放送されるアナログ放送を受信するアナログ放送受信手段と、
前記デジタル放送受信手段より供給されるデジタル受信信号と前記アナログ放送受信手段より供給されるアナログ受信信号とを同期させる同期手段と、
前記同期手段により同期された前記デジタル受信信号及び前記アナログ受信信号のうち少なくとも１つの信号を出力する信号切替手段と
を備えることを特徴とするサイマル放送受信装置。
【請求項２】
請求項１記載のサイマル放送受信装置において、
前記同期手段は、
前記デジタル受信信号及び前記アナログ受信信号の所定時間内の相関をとって同期させる
ことを特徴とするサイマル放送受信装置。
【請求項３】
請求項１又は２記載のサイマル放送受信装置において、
さらに、前記デジタル受信信号の誤り率を検出する誤り率検出手段を有し、
前記信号切替手段は、前記誤り率検出手段により検出した誤り率に応じて出力する信号を選択する
ことを特徴とするサイマル放送受信装置。
【請求項４】
請求項１〜３のいずれか１項に記載のサイマル放送受信装置において、
さらに、前記デジタル受信信号と同期を取るために前記アナログ受信信号を遅延させる遅延手段を備える
ことを特徴とするサイマル放送受信装置。
【請求項５】
請求項１〜４のいずれか１項に記載されたサイマル放送受信装置が搭載された
移動体。
【発明の詳細な説明】
【技術分野】
【０００１】
この発明は、同じ時間に同じ番組を放送するデジタル放送とアナログ放送のサイマル放送（サイマルキャスト又は同時放送ともいう。）のサイマル放送受信装置及びこのサイマル放送受信装置が搭載された車両等の移動体に関する。
【背景技術】
【０００２】
従来、移動体においてアナログ放送を視聴する際には、複数のアンテナにより受信された受信波の受信レベルを比較し、受信レベルの最も大きいアンテナへ随時切り替え、受信レベルの最も大きい受信波を復調しモニタにより視聴するようになっている。しかし、マルチパスやフェージングの影響により、移動体では、安定してアナログ放送を受信することが困難である。
【０００３】
このような環境下、２００３年に我が国においてデジタル放送が開始された。そして、現在、上記したサイマル放送が行われていることを考慮し、移動体で、サイマル放送されているデジタル放送とアナログ放送を同時に受信し、デジタル放送信号の受信状態の劣化が検出されない限り、換言すれば、クリフエフェクト（崖効果）が発生しない領域では画質等の優れたデジタル放送信号をモニタに出力し、デジタル放送信号の受信状態の劣化が検出されたときに画質は劣るが情報の内容の確認が可能なアナログ放送信号をモニタに出力するサイマル放送受信装置が提案されている（特許文献１参照）。
【０００４】
この特許文献１に係るサイマル放送受信装置では、アナログ放送受信電界強度も検出し、アナログ放送信号をモニタ中に、アナログ放送受信電界強度が所定レベル以上に回復してきたときには、デジタル放送信号の受信状態も回復してきたものと判断し、アナログ放送信号に代えてデジタル放送信号をモニタに出力するようにしている。
【０００５】
【特許文献１】特開２００１−２１７７３５号公報（［０００７］、［００１７］）
【発明の開示】
【発明が解決しようとする課題】
【０００６】
しかしながら、サイマル放送のデジタル放送は、その変復調時間がアナログ放送の変復調時間に対して２秒程度余分にかかることから、モニタ出力時にアナログ放送よりも２秒程度遅れて視聴されることがわかった。すなわち、例えばアナログ放送の視聴からデジタル放送の視聴に切り替わったときには、約２秒間情報内容（視聴内容）が重複してしまう一方、デジタル放送の視聴からアナログ放送の視聴に切り替わったときには、約２秒間情報内容（視聴内容）が欠落してしまうという問題がある。
【０００７】
この場合、サイマル放送を連続して視聴しているユーザに対して違和感を感じさせてしまう。特に、２秒間の欠落は、動きのある被写体の場合、ポイントとなる箇所を見逃してしまうおそれがある。
【０００８】
この発明は、このような課題を考慮してなされたものであり、デジタル放送とアナログ放送のサイマル放送を視聴中において、デジタル放送とアナログ放送を切り替えたときに、情報内容（視聴内容）の欠落又は重複が発生しないようにすることを可能とするサイマル放送受信装置及びこのサイマル放送受信装置が搭載された移動体を提供することを目的とする。
【課題を解決するための手段】
【０００９】
この発明に係るサイマル放送受信装置は、表示装置に接続して利用されるサイマル放送受信装置において、デジタル放送を受信するデジタル放送受信手段と、前記デジタル放送とサイマル放送されるアナログ放送を受信するアナログ放送受信手段と、前記デジタル放送受信手段より供給されるデジタル受信信号と前記アナログ放送受信手段より供給されるアナログ受信信号とを同期させる同期手段と、
前記同期手段により同期された前記デジタル受信信号及び前記アナログ受信信号のうち少なくとも１つの信号を出力する信号切替手段とを備えることを特徴とする。
【００１０】
この発明によれば、サイマル放送受信装置を構成する同期手段により、デジタル受信信号とアナログ受信信号とを同期させるようにしているので、デジタル放送とアナログ放送を切り替えたときに、情報内容の欠落又は重複が発生しない。
【００１１】
信号切替手段によりデジタルとアナログのいずれの信号を選択するかは、デジタル受信信号の誤り率を検出する誤り率検出手段により検出した誤り率に応じて出力する信号を選択する。
【００１２】
例えば、誤り率に３段階の閾値（小閾値＜中閾値＜大閾値）を設け、誤り率が、小閾値以下であるときには、受信状況が良好であると判定し、デジタル放送の映像と音声を出力する。また、誤り率が小閾値以上で中閾値以下であるときには、受信状態が注意であると判定し、デジタル放送の映像とアナログ放送の音声を出力する。さらに、誤り率が中閾値以上で大閾値以下であるときには、受信状態が不良であると判断し、アナログ放送の映像と音声を出力する。さらにまた、誤り率が大閾値以上であるときには、受信状態が不能であると判断し、アナログ放送の音声のみを出力する。このように出力を制御することで、デジタル受信信号の誤り率に応じた最適な出力を得ることができる。
【００１３】
同期手段は、具体的には、デジタル受信信号及びアナログ受信信号の所定時間内の相関をとって同期させることができる。この場合、デジタル受信信号と、遅延手段により約２秒（アナログ放送の変復調時間に対して、時間が余分にかかるデジタル放送の変復調に要する時間）±Δ秒遅延させたアナログ受信信号との相関の最も高いところを同期の一致点とすることができる。
【００１４】
相関の具体的な対象は、映像、音声、あるいは映像と音声の両方を用いて採ることができる。
【００１５】
上記サイマル放送受信装置は、移動体に搭載して使用される。すなわち、この発明に係る移動体は、前述のサイマル放送受信装置のいずれかを備える。移動体は、車両、船、水陸両用車、プレジャーボート、ヘリコプタ、飛行機等とすることができる。
【発明の効果】
【００１６】
この発明によれば、同期手段により、デジタル受信信号とアナログ受信信号とを同期させるようにしているので、デジタル放送とアナログ放送を切り替えたときに、情報内容の欠落又は重複が発生しないサイマル放送受信装置を提供できる。
【００１７】
したがって、サイマル放送を連続して視聴しているユーザに対して違和感の感じ方をきわめてすくなくすることができる。
【００１８】
特に、マルチパルスやフェージングの影響を受けやすい車両等の地上を走行する移動体に適用して好適である。
【発明を実施するための最良の形態】
【００１９】
以下、この発明に係るサイマル放送受信装置及びサイマル放送受信装置を備える移動体について好適な実施の形態を挙げ、添付の図面を参照しながら説明する。
【００２０】
なお、以下に説明する各機能手段は、マイクロコンピュータ等、ＣＰＵがメモリに格納されたプログラムを実行することで実現することができる。ハードウエアにより実現することもできる。
【００２１】
図１は、この実施形態に係るサイマル放送受信装置２０を搭載した移動体としての車両１０の概略的な平面構成図を示している。
【００２２】
図２は、車両１０に搭載されたサイマル放送受信装置２０のブロック図を示している。
【００２３】
サイマル放送受信装置２０は、基本的には、デジタル放送受信機（デジタル放送受信手段）２２とアナログ放送受信機（アナログ放送受信手段）２４とからなるサイマル放送受信機２６を備えている。
【００２４】
アナログ放送受信機２４には、例えばＶＨＦ（Very High Frequency）帯のアナログ放送アンテナ３０が接続され、地上アナログ放送（以下、単にアナログ放送という。）を受信する。
【００２５】
デジタル放送受信機２２には、上記地上アナログ放送とサイマル放送（同じ時間に同じ番組が放送）される地上デジタル放送用のデジタル放送アンテナ２８が接続され、ＵＨＦ（Urtla High Frequncy）帯の地上デジタル放送を受信する。
【００２６】
アナログ放送アンテナ３０及びデジタル放送アンテナ２８は、図１に示すように、実際には、それぞれ２本、車両１０のリアクオーターガラスに配置されているが、この発明を理解する上では、繁雑となるので図２に示すように、各１本として説明する。
【００２７】
デジタル放送受信機２２は、受信した放送波をデジタル信号の信号列（トランスポートストリーム）に復調するＯＦＤＭ（Orthogonal Frequency Division Multiplexing）復調部３２と、復調された信号列の誤りを訂正して訂正後の信号列を出力するとともに、ビットエラーレート等の誤り率ＥＲを出力する誤り訂正部（誤り率検出手段）３４と、訂正後の信号列を映像音声信号に復調（復号）するＭＰＥＧ復調部３６と、復調された映像音声信号を処理しアナログ信号の映像信号と音声信号を出力する映像音声処理部３８と、復調された映像音声信号から同期用信号を出力する同期用信号抽出部４０とを備える。デジタル放送受信機２２において、ＯＦＤＭ復調部３２の出力側から映像音声処理部３８の入力側まではデジタル信号として処理が行われる。
【００２８】
一方、アナログ放送受信機２４は、受信した放送波を復調し、図示しないＡ／Ｄ変換器によりデジタル信号に変換した映像音声信号を出力するアナログ復調部４２と、復調された映像音声信号から同期用信号を抽出する同期用信号抽出部４４と、復調された映像音声信号に所定時間の遅延を与えるためと蓄積するデータ量を低減するために圧縮処理を行う映像音声圧縮部４６と、圧縮された映像音声信号を、フレーム同期信号（又はこれに対応した時刻等）をアドレスとして蓄積するメモリである蓄積部４８と、相関器５２からの指示に基づき、圧縮されて蓄積されている映像音声信号を読み出して解凍しアナログ信号の映像信号と音声信号を出力する映像音声解凍部５０とを備える。
【００２９】
蓄積部４８には、デジタル放送の遅延時間の２秒に余裕を見込んでΔ秒を加えた遅延時間ｔｄ｛ｔｄ＝（２＋Δ）秒｝分に対応する映像音声信号が蓄積される。
【００３０】
なお、この遅延時間ｔｄは、アナログ放送とデジタル放送をサイマル放送する際に、放送局側でアナログ放送信号をデジタル放送信号に変換（ＯＦＤＭ変調）して放送局のアンテナから送出するまでの時間と、デジタル放送受信機２２においてデジタル放送アンテナにより受信した放送波をＭＰＥＧ復調部３６で復調するまでの時間とを加算した時間に対応した時間であり、約２秒の時間がかかることが分かり、この時間に余裕時間Δ秒を加算した時間である。
【００３１】
さらに、サイマル放送受信装置２０は、相関器５２を有している。この相関器５２は、デジタル放送受信機２２の同期用信号抽出部４０で抽出された同期用信号（映像音声信号）と、アナログ放送受信機２４の同期用信号抽出部４４で抽出された同期用信号（映像音声信号）との相関をとることで、復調されたデジタル映像音声信号とアナログ映像音声信号の時間差を検出し、時間差に応じた（実際には、蓄積部４８からの読出時間及び映像音声解凍部での解凍時間も考慮される。）アドレス（時刻等に対応する。）を計算して映像音声解凍部５０に出力する。なお、相関器５２は、デジタルシグナルプロセッサ等により構成される。
【００３２】
この実施形態において、デジタル放送受信機２２より供給されるデジタル受信信号に対応する映像音声信号とアナログ放送受信機２４より供給されるアナログ受信信号に対応する映像音声信号とを同期させる同期手段は、同期用信号抽出部４０、４４、相関器５２、映像音声圧縮部４６、蓄積部４８、及び映像音声解凍部５０により構成される。
【００３３】
サイマル放送受信装置２０は、さらに、デジタル放送受信機２２の誤り訂正部３４から出力される誤り率ＥＲを基に、入力される複数の映像信号（デジタル放送の映像信号とアナログ放送の映像信号）の切替を行う映像切替器５４と、入力される複数の音声信号（デジタル放送の音声信号とアナログ放送の音声信号）の切替を行う音声切替器５６とからなる信号切替手段５８を有している。この実施形態において、信号切替手段５８は、アナログ信号を切り替えるようにしているが、デジタル信号を切り替えるようにしてもよい。
【００３４】
信号切替手段５８の映像切替器５４から出力される映像信号は、車内配線６０（図１参照）を通じて、映像を表示する前席側と後席側のモニタである表示装置（表示手段）６２（６２Ｆ、６２Ｒ）に供給され、信号切替手段５８の音声切替器５６から出力される音声信号は、音声を出力する前席側と後席側のスピーカ（音声出力手段）６４（６４ＦＲ、６４ＦＬ、６４ＲＲ、６４ＲＬ）に供給される。
【００３５】
この実施形態に係るサイマル放送受信装置２０を搭載した移動体としての車両１０は、基本的には、以上のように構成されかつ動作するものであり、次に、サイマル放送受信装置２０の詳細な動作について説明する。
【００３６】
図３は、デジタル放送受信機２２の処理フローを示している。
【００３７】
ステップＳ１において、ＯＦＤＭ復調部３２は、デジタル放送アンテナ２８で受信した放送波に対してデジタル復調を行いデジタル信号の信号列を出力する。
【００３８】
ステップＳ２において、誤り訂正部３４は、復調された信号列からフレーム毎の誤り率ＥＲを算出し、この値を連続的に一定期間、図示しないメモリ（ＲＡＭ）に誤り率データ１３１として格納するとともに、復調された信号列の誤りを訂正して訂正後の信号列をＭＰＥＧ復調部３６に出力する。
【００３９】
次いで、ステップＳ３において、ＭＰＥＧ復調部３６は、訂正後の信号列を映像音声信号に復調して映像音声処理部３８に出力する。
【００４０】
ステップＳ４において、同期用信号抽出部４０は、復調された映像音声信号から同期用信号（フレーム同期信号とこれに付随する映像音声信号）を抽出しこの同期用信号を随時、メモリに同期用データ１３２として格納する。
【００４１】
ステップＳ５において、ＭＰＥＧ復調部３６で復調された映像音声信号は映像音声処理部３８を通じてデジタル放送の映像信号と音声信号としてそれぞれ映像切替器５４及び音声切替器５６に送出される。
【００４２】
図４は、アナログ放送受信機２４の処理フローを示している。
【００４３】
ステップＳ１１において、アナログ復調部４２は、アナログ放送アンテナ３０で受信した放送をアナログ復調しデジタル化した映像音声信号を出力する。
【００４４】
ステップＳ１２において、同期用信号抽出部４４は、復調された映像音声信号から同期用信号（フレーム同期信号とこれに付随する映像音声信号）を抽出しこの同期用信号を随時、メモリに同期用データ１３３として格納する。
【００４５】
ステップＳ１３において、映像音声圧縮部４６は、復調された映像音声信号を圧縮しフレーム同期信号をアドレスとして蓄積部４８に映像音声信号の圧縮データ１３４として格納する。
【００４６】
ステップＳ１４において、後述する相関器５２の相関処理結果に基づく解凍指示が映像音声解凍部５０に供給されたとき、ステップＳ１５において圧縮データ１３４の対応するフレーム同期信号の位置から圧縮データを読み出して解凍し、ステップＳ１６において、アナログ放送の映像信号と音声信号とをそれぞれ映像切替器５４と音声切替器５６に送出する。
【００４７】
図５は、相関器５２の処理フローを示している。
【００４８】
ステップＳ２１において、相関器５２は、メモリに記憶されているアナログ放送の同期用データ１３３から同期用原画信号（同期用参照信号）としての映像信号（映像フレーム）を取得する。なお、繁雑となるので、相関器５２でのここでの相関処理は、映像信号の相関処理であるものとする。
【００４９】
次いで、ステップＳ２２において、相関が採られる同期用被測定信号としてのデジタル放送の同期用データ１３２から同期用被測定信号としての映像信号（映像フレーム）を取得する。
【００５０】
このとき、アナログ放送とデジタル放送との時間差は、概ね２秒ということが分かっているので、この付近前後数十フレーム（±Δ秒）に対して相関値取得の範囲を設定する。
【００５１】
次いで、ステップＳ２３において、ステップＳ２１とステップＳ２２において取得したアナログ放送の映像フレームとデジタル放送の映像フレーム（フレーム画２枚）に対して、例えば、画素毎の輝度値にて画全体に対しての相関値を計算し、ステップＳ２４において、メモリに計算した輝度相関値を相関値データ１３５として格納する。
【００５２】
次いで、ステップＳ２５において、先に設定した相関値取得の範囲の全映像フレームについての相関値（ステップＳ２２〜Ｓ２４の処理を繰り返す。）を取得したかどうかを確認し、設定した相関値取得の範囲の全映像フレームについての相関値が得られたとき、ステップＳ２６において、メモリに格納されている相関値データ１３５中、最大相関値を特定し、ステップＳ２７において、最大相関値の得られた映像フレームのフレーム同期信号（映像フレーム値）からデジタル放送とアナログ放送の受信信号の時間差を取得する。
【００５３】
次いで、相関器５２は、映像音声解凍部５０に対してこの時間差（時間差に対応する蓄積部４８の格納位置を示すアドレスに対応する。）を知らせる。映像音声解凍部５０は、この時間差からフレーム同期信号のアドレスを特定し、蓄積部４８から圧縮データを読み出し、解凍してアナログ放送の映像信号と音声信号を映像切替器５４と音声切替器５６に供給する。
【００５４】
このようにして、デジタル放送受信機２２の映像音声処理部３８から出力されるデジタル放送の映像信号と音声信号に対して同期したアナログ放送の映像信号と音声信号（同一フレームの映像音声信号が）がアナログ放送受信機２４の映像音声解凍部５０から出力される。
【００５５】
この場合、信号切替手段５８の入力側に、同じ時間に同じ番組を放送するデジタル放送とアナログ放送のサイマル放送に対応する映像信号と音声信号が連続的に供給されるので、映像切替器５４及び音声切替器５６により切り替えてそれぞれ表示装置６２及びスピーカ６４に映像信号と音声信号を供給した場合、デジタル放送とアナログ放送の映像と音声が滑らかに切り替えられ、サイマル放送におけるデジタル放送とアナログ放送をサイマル放送受信装置２０側で切り替えたときに映像と音声の欠落及び重複が発生することなくなる。これにより、受信状況によりアナログ放送とデジタル放送が切り替えられるサイマル放送を表示装置６２及びスピーカ６４を通じて視聴するユーザの視聴上での違和感が相当に解消される。
【００５６】
ここで、デジタル放送とアナログ放送の特長を考慮し、信号切替手段５８では、図６の処理フローに従い受信状況を考慮して、最適な（ユーザフレンドリーなあるいはユーザの感性に合った）信号を切り替えて出力する。
【００５７】
まず、ステップＳ３１において、信号切替手段５８は、受信状況の指標としてフレーム同期信号毎の誤り率ＥＲを誤り率データ１３１から取得する。
【００５８】
次に、ステップＳ３２において、この誤り率ＥＲの値に基づき、メモリ（ＥＥＰＲＯＭ）に記憶されている図７の受信状況判定表７２を参照して、映像切替器５４及び音声切替器５６を切り替える。受信状況判定表７２においては、誤り率ＥＲの判定に際し、３段階の閾値（小閾値ＴＨｓ＜中閾値ＴＨｍ＜大閾値ＴＨｌ）を設けている。
【００５９】
すなわち、ステップＳ３２Ａにおいて、誤り率ＥＲが小閾値ＴＨｓ以下であると判定したときには（ＥＲ≦ＴＨｓ）、デジタル放送の受信状況が良好であると判定し、ステップＳ３２Ｂにおいて、信号切替手段５８から表示装置６２に対してはデジタル放送の映像信号を供給し、スピーカ６４に対してはデジタル放送の音声信号を供給する。
【００６０】
次に、ステップＳ３２Ｃにおいて、誤り率ＥＲが小閾値ＴＨｓ以上であって中閾値ＴＨｍ以下であると判定したときには（ＴＨｓ≦ＥＲ≦ＴＨｍ）、デジタル放送の受信状況が注意であると判定し、ステップＳ３２Ｄにおいて、信号切替手段５８から表示装置６２に対してはデジタル放送の映像信号を供給し、スピーカ６４に対してはアナログ放送の音声信号を供給する。このとき、表示装置６２上では、いわゆるブロックノイズが混入した映像が観測される。スピーカ６４から出力される音声の品質はそれほどには劣化しない。
【００６１】
次いで、ステップＳ３２Ｅにおいて、誤り率ＥＲが中閾値ＴＨｍ以上であって大閾値ＴＨｌ以下であると判定したときには（ＴＨｍ≦ＥＲ≦ＴＨｌ）、デジタル放送の受信状況が不良であると判定し、クリフエフェクトを考慮し、ステップＳ３２Ｆにおいて、信号切替手段５８から表示装置６２に対してはアナログ放送の映像信号を供給し、スピーカ６４に対してもアナログ放送の音声信号を供給する。このとき、表示装置６２上では、映像品質が劣化した映像が観測される。なお、デジタル放送の映像信号では、映像の内容を観測することができない。スピーカ６４から出力される音声の品質は劣化しているが聞き取ることができる。
【００６２】
次いで、ステップＳ３２Ｇにおいて、誤り率ＥＲが大閾値ＴＨｌ以上であると判定したときには（ＴＨｌ≦ＥＲ）、デジタル放送の受信状況が不能であると判定し、アナログ放送の受信状況も相当に悪いものと推定し、ステップＳ３２Ｇにおいて、信号切替手段５８の映像切替器５４は、映像を出力しない位置に切り替えられる。すなわち、信号切替手段５８から表示装置６２に対しては映像信号が供給されない。また、スピーカ６４に対してはアナログ放送の音声信号を供給する。このとき、表示装置６２上では、映像の内容を観測することができないが、スピーカ６４から出力される音声の品質は相当劣化しているが内容を聞き取ることができる。
【００６３】
このように、信号切替手段５８の出力を切替制御することで、デジタル受信信号の誤り率ＥＲ（受信状況）に応じた最適な出力を得ることができる。
【００６４】
なお、上述した実施形態においては、相関器５２で同期を採るための同期用信号として映像フレームを用いて相関値を算出しているが、音声波形の一部を用いて同様の相関を採るようにしてもよい。映像フレームと音声波形の両方を用いて相関を採ることもできる。
【００６５】
さらに、図８に示すデジタル放送受信機２２Ａとアナログ放送受信機２４Ａからなるサイマル放送受信機２６Ａを含むサイマル放送受信装置２０Ａに変更することで、相関器５２を使用することなく、デジタル放送とアナログ放送の処理時間差を予め算出しておき、常に、その処理時間差分だけアナログ放送の映像音声信号を蓄積部４８で遅延させて信号切替手段５８に出力するように構成を変更することもできる。この図８例のサイマル放送受信装置２０Ａにおいて、同期手段は、映像音声圧縮部４６、蓄積部４８及び映像音声解凍部５０とから構成される。
【００６６】
さらに、図２例、図８例のサイマル放送受信装置２０、２０Ａでは、アナログ放送の映像音声信号を蓄積するように構成しているが、デジタル放送とアナログ放送の両放送の蓄積を行うことで、信号切替手段５８を用いることなく、信号処理により、デジタル放送とアナログ放送の映像劣化度、音声歪度等を判定し、良好な放送側（メディア側）、あるいは両映像音声を重畳させる等の処理の後に表示装置６２及びスピーカ６４に出力するように構成を変更することもできる。
【００６７】
以上説明したように、上述した実施形態によれば、地上放送受信のデジタルアナログ両放送受信機２２、２２Ａ、２４、２４Ａを備えるサイマル放送受信装置２０、２０Ａにおいて、デジタル放送の処理時間分の遅延を考慮し、予めデジタル受信信号とアナログ受信信号の同期を調整した後に、受信環境（受信状態）に応じて映像音声の出力元（デジタル放送またはアナログ放送）を切り替えることで、デジタル放送受信機２２、２２Ａとアナログ放送受信機２４、２４Ａの双方の利点を生かしたユーザニーズに沿った放送視聴を可能にできる。
【００６８】
すなわち、同期手段により、デジタル受信信号とアナログ受信信号とを同期させるようにしているので、デジタル放送とアナログ放送を切り替えたときに、情報内容の欠落又は重複が発生しないサイマル放送受信装置２０、２０Ａ等を提供することができる。
【００６９】
したがって、サイマル放送を連続して視聴しているユーザに対して違和感の感じ方をきわめて少なくすることができる。
【００７０】
特に、マルチパルスやフェージングの影響を受けやすい車両１０等の地上を走行する移動体に適用して好適である。
【００７１】
なお、この発明は、上述した実施形態に限らず、この明細書の記載内容に基づき、種々の構成を採り得ることはもちろんである。
【図面の簡単な説明】
【００７２】
【図１】この発明の一実施形態に係るサイマル放送受信装置が搭載された車両の一部省略構成図である。
【図２】この発明の一実施形態に係るサイマル放送受信装置のブロック図である。
【図３】デジタル放送受信機の動作説明に供されるフロー図である。
【図４】アナログ放送受信機の動作説明に供されるフロー図である。
【図５】相関器の動作説明に供されるフロー図である。
【図６】受信状態に応じた信号切替手段の動作説明に供されるフロー図である。
【図７】受信状況判定表の説明図である。
【図８】他の実施形態に係るサイマル放送受信装置のブロック図である。
【符号の説明】
【００７３】
１０…車両                            ２０、２０Ａ…サイマル放送受信装置
２２、２２Ａ…デジタル放送受信機      ２４、２４Ａ…アナログ放送受信機
２６、２６Ａ…サイマル放送受信機      ３４…誤り訂正部
４０…同期用信号抽出部                ４６…映像音声圧縮部
４８…蓄積部                          ５０…映像音声解凍部
５２…相関器                          ５８…信号切替手段
【図１】
2006295662.tif 000003
【図２】
2006295662.tif 000004
【図３】
2006295662.tif 000005
【図４】
2006295662.tif 000006
【図５】
2006295662.tif 000007
【図６】
2006295662.tif 000008
【図７】
2006295662.tif 000009
【図８】
2006295662.tif 000010